(57)【要約】【課題】  家庭等でも、容易に、ご飯に巻いて、持ち運べるおにぎりを作ることができると共に、包装用のフィルムを容易に取り去ることができ、しかも、シート状食品を、長時間湿らせずに保つことができるおにぎり包装シートを提供することを目的とする。【解決手段】  略矩形状の内フィルム１と外フィルム２との間の内部密封空間５内に、シート状食品３を、密封状に保持する。そして、内フィルム１の外表面11の周端縁部12に、貼着剤７が塗布され、内フィルム１の外表面11が、貼着剤７をもって、ご飯６を包んだ袋状として、貼着されるように構成される。内フィルム１は、一対の短辺部10ａ，10ａに、各々、第１切込部31を、有する。かつ、外フィルム２は、その短辺部20ａに、外フィルム２を長手方向Ｌに沿って帯状に引き裂くための開始端部23を形成する２本の第２切込部32，32を、有する。第１切込部31は、２本の第２切込部32，32の間に、配設される。【選択図】  図５
2006076638.tif 000002
【特許請求の範囲】
【請求項１】
略矩形状の内フィルム（１）と外フィルム（２）との間に、シート状食品（３）を挟んで、上記内フィルム（１）と上記外フィルム（２）の周端縁部 (10)(20) 同士を融着して、内部密封空間（５）内に、上記シート状食品（３）を密封状に保持し、
上記内フィルム（１）の外表面（11）の周端縁部（12）に、貼着剤（７）が塗布され、該内フィルム（１）の該外表面（11）が、該貼着剤（７）をもって、ご飯（６）を包んだ袋状として、貼着されるように構成され、
さらに、上記内フィルム（１）は、一対の短辺部 (10ａ)(10ａ) に、各々、第１切込部（31）を、有し、
かつ、上記外フィルム（２）は、その短辺部（20ａ）に、該外フィルム（２）を長手方向（Ｌ）に沿って帯状に引き裂くための開始端部（23）を形成する２本の第２切込部 (32)(32) を、有し、
上記内フィルム（１）の上記第１切込部（31）は、上記外フィルム（２）の２本の第２切込部 (32)(32) の間に、配設されたことを特徴とするおにぎり包装シート。
【請求項２】
略矩形状の内フィルム（１）と外フィルム（２）との間に、シート状食品（３）を挟んで、上記内フィルム（１）と上記外フィルム（２）の周端縁部 (10)(20) 同士を融着して、内部密封空間（５）内に、上記シート状食品（３）を密封状に保持し、
上記内フィルム（１）の外表面（11）の周端縁部（12）のうち、長手方向（Ｌ）の半分区域（12ａ）に、貼着剤（７）が塗布され、該内フィルム（１）の該外表面（11）が、該貼着剤（７）をもって、ご飯（６）を包んだ袋状として、貼着されるように構成され、  さらに、上記内フィルム（１）は、一対の短辺部 (10ａ)(10ａ) に、各々、第１切込部（31）を、有し、
かつ、上記外フィルム（２）は、その短辺部（20ａ）に、該外フィルム（２）を長手方向（Ｌ）に沿って帯状に引き裂くための開始端部（23）を形成する２本の第２切込部 (32)(32) を、有し、
上記内フィルム（１）の上記第１切込部（31）は、上記外フィルム（２）の２本の第２切込部 (32)(32) の間に、配設されたことを特徴とするおにぎり包装シート。
【請求項３】
上記外フィルム（２）は、一対の短辺部 (20ａ)(20ａ) に、各々、２本の第２切込部 (32)(32) を、有する請求項１又は２記載のおにぎり包装シート。
【請求項４】
上記貼着剤（７）に、剥離紙（17）を貼り合わせた請求項１，２又は３記載のおにぎり包装シート。
【発明の詳細な説明】
【技術分野】
【０００１】
本発明は、ご飯に、シート状食品を巻いておにぎりを作るためのおにぎり包装シートに関するものである。
【背景技術】
【０００２】
従来、おにぎり包装シートとして、海苔等のシート状食品を、略長方形の外フィルムと内フィルムとの間に挟んだものであって、内フィルムが、２枚のフィルム片を、幅方向略中央部で重ね合わせて形成されたものが知られており（例えば、特許文献１参照）、内フィルムの２枚のフィルム片を、相互に幅方向反対側へ引っ張り、ご飯の周囲からフィルム片を取り去って、シート状食品を、ご飯に巻き付け状とする。
【特許文献１】特許第３０８１８３６号公報
【発明の開示】
【発明が解決しようとする課題】
【０００３】
この従来の包装シートで、ご飯を包んでおにぎりを作った場合、ご飯の湿気が、内フィルムを形成する２枚のフィルムの重ね部を介して、海苔に達するので、しばらく置いておくと、ご飯の湿気によって、海苔が湿めり易い。よって、海苔の（乾燥した）パリパリ感を、長い時間保っておくことができず、おにぎりから内外のフィルムを取り去って食べようとする際に、海苔のパリパリ感を、味わうことができない。
【０００４】
そこで、本発明は、家庭等でも、容易に、ご飯に巻いて、持ち運べるおにぎりを作ることができると共に、包装用のフィルムを容易に取り去ることができ、しかも、シート状食品を、長時間湿らせずに保つことができるおにぎり包装シートを提供することを目的とする。
【課題を解決するための手段】
【０００５】
上記の目的を達成するために、本発明に係るおにぎり包装シートは、略矩形状の内フィルムと外フィルムとの間に、シート状食品を挟んで、上記内フィルムと上記外フィルムの周端縁部同士を融着して、内部密封空間内に、上記シート状食品を密封状に保持し；上記内フィルムの外表面の周端縁部に、貼着剤が塗布され、該内フィルムの該外表面が、該貼着剤をもって、ご飯を包んだ袋状として、貼着されるように構成され；さらに、上記内フィルムは、一対の短辺部に、各々、第１切込部を、有し；かつ、上記外フィルムは、その短辺部に、該外フィルムを長手方向に沿って帯状に引き裂くための開始端部を形成する２本の第２切込部を、有し；上記内フィルムの上記第１切込部は、上記外フィルムの２本の第２切込部の間に、配設されたものである。
【０００６】
また、おにぎり包装シートは、略矩形状の内フィルムと外フィルムとの間に、シート状食品を挟んで、上記内フィルムと上記外フィルムの周端縁部同士を融着して、内部密封空間内に、上記シート状食品を密封状に保持し；上記内フィルムの外表面の周端縁部のうち、長手方向の半分区域に、貼着剤が塗布され、該内フィルムの該外表面が、該貼着剤をもって、ご飯を包んだ袋状として、貼着されるように構成され；さらに、上記内フィルムは、一対の短辺部に、各々、第１切込部を、有し；かつ、上記外フィルムは、その短辺部に、該外フィルムを長手方向に沿って帯状に引き裂くための開始端部を形成する２本の第２切込部を、有し；上記内フィルムの上記第１切込部は、上記外フィルムの２本の第２切込部の間に、配設されたものである。
【０００７】
また、上記外フィルムは、一対の短辺部に、各々、２本の第２切込部を、有する。
さらに、上記貼着剤に、剥離紙を貼り合わせた。
【発明の効果】
【０００８】
本発明は、次のような著大な効果を奏する。
シート状食品は、内フィルムと外フィルムが形成する内部密封空間内に、密封状に保持されるので、内外フィルムを取り去るまでは、ご飯の湿気がシート状食品を湿らせてしまうことがなく、シート状食品を、（乾燥した）パリパリ感を保ったまま、長時間保持できる。よって、食べたい時いつでも、パリパリ感のある海苔巻おにぎりを、味わうことができる。
しかも、本物品に係る包装シートのみを流通過程に乗せ、それを買った各家庭に於て、おにぎりを作るのに使用される。そして、おにぎりを作る際、包装シートでご飯を巻きつける作業は簡単で、家庭等にて、容易に、セッティングすることができる。
そして、シート状食品及びご飯に手を接触させることなく、包装用のフィルムを、簡単に分離して取り去ることができるので、衛生面でも好ましい。しかも、取り去る作業に手間が掛からないので、出先等で、すぐに、海苔巻きおにぎりを作って、味わうことができる。
【発明を実施するための最良の形態】
【０００９】
以下、実施の形態を示す図面に基づき、本発明を詳説する。
図１，図２，図３，図４及び図５に示すように、本発明に係るおにぎり包装シートは、略矩形状の内フィルム１と外フィルム２との間に、シート状食品３を挟んで成る。
内フィルム１と外フィルム２は、その周端縁部10，20同士が、融着剤15で融着され、その間に形成された内部密封空間５内に、シート状食品３が密封状に保持される。シート状食品３は、おにぎり用シート状海苔等である。
ここで、Ｌは、内外フィルム１，２の長手方向を示し、Ｘは、幅方向を示す。
内外フィルム１，２の長手方向Ｌの長さは、 250mm乃至 270mmに設定され、幅方向Ｘの長さは、 120mm乃至 140mmに設定されるのが好ましい。
また、内外フィルム１，２は、共に、長手方向Ｌに沿って裂け易い方向性（易直線カット性）を有し、ｏｐｐフィルム等から成るのが好ましい（図７，図８，図９参照）。
【００１０】
内フィルム１の外表面11の周端縁部12に、貼着剤７が周状に塗布される。そして、内フィルム１と同面積を有する剥離紙17が、貼着剤７に、剥離自在に貼着される。
ここで、内フィルム１の外表面11とは、ご飯６を包み込む面である。
そして、この内フィルム１は、ご飯６を包み込んだ状態で、長手方向Ｌの中間で曲げられて、外表面11を貼着剤７で貼着され、袋状態にされる（図６参照）。
【００１１】
また、内フィルム１は、（幅方向Ｘに沿った）一対の短辺部10ａ，10ａに、各々、第１切込部31を有する。第１切込部31は、短辺部10ａの、幅方向Ｘ中央の端辺から、長手方向Ｌに、１筋短く切り込まれて形成される。
かつ、外フィルム２は、（幅方向Ｘに沿った）短辺部20ａに、外フィルム２を長手方向Ｌに沿って帯状に引き裂くための開始端部23を形成する２本の第２切込部32，32を、有する。第２切込部32，32は、短辺部20ａの、幅方向Ｘ中央付近の端辺から、長手方向Ｌに、２筋並列して短く切り込まれて形成される。
そして、内フィルム１の第１切込部31は、幅方向Ｘに対し、外フィルム２の２本の第２切込部32，32の間に、配設される。
なお、図例では、外フィルム２は、一対の両短辺部20ａ，20ａに、各々、２本の第２切込部32，32を、有しているが、第２切込部32，32は、どちらか一方の短辺部20ａのみに、形成されてもよい。
【００１２】
次に、図11，図12は本発明のおにぎり包装シートの他の実施の形態を示し、図１〜図５で説明したおにぎり包装シートとの相違点は、貼着剤７が塗布される区域が、内フィルム１の外表面11の周端縁部12のうち、長手方向Ｌの半分区域12ａである点である。
この内フィルム１は、ご飯６を包み込んだ状態で、長手方向Ｌ中央で曲げられ、外表面11を、貼着剤７の塗布された半分区域12ａと、塗布されていない半分区域とで、貼着剤７で貼着され、袋状にされる（図６参照）。
【００１３】
次に、本発明のおにぎり包装シートの製造方法及び使用方法について説明する。
図１及び図２に於て、製造方法について説明する。
先ず、図１に示すように、略矩形状の内フィルム１の一対の短辺部10ａ，10ａの各々に、第１切込部31を形成し、かつ、内フィルム１の外表面11の周端縁部12に、貼着剤７を、塗布し、その上に、剥離紙17を貼着する。
そして、（内フィルム１と同面積の）外フィルム２の短辺部20ａに、２本の第２切込部32，32を形成したものと、内フィルム１とを、シート状食品３を挟んで、図２の矢印８のように重ね合わせ、内フィルム１，外フィルム２を、各々の周端縁部10，20同士で融着し、内部密封空間５内に、シート状食品３を、密封状に保持する。
そして、図３に示すように、包装シートを、長手方向Ｌの中央で曲げて、内フィルム１の短辺部10ａ，10ａ同士を、貼着剤７によって、貼着させる。あるいは、図４に示すように、内フィルム１と同面積を有する剥離紙17を、貼着剤７に貼着して、貼着剤７及び内フィルム１の外表面11を、カバーする。
包装シートは、この図３あるいは、図４のような状態にされて、複数重ねられて、セットとして販売される。
図11，図12に示す包装シートも、図１, 図２で既述した同様の手順で製造し、図３，図４で既述したように、セットとして販売する。
【００１４】
次に、使用方法について説明する。
家庭，飲食店，旅館，惣菜店，若しくは弁当店等で、図５に示すように、内フィルム１の外表面11に、ご飯６を当接させて（ご飯６が、貼着剤７に係らないようにして）、長手方向Ｌの中央位置で折り曲げる。
そして、図６に示すように、包装シートで、ご飯６を包み込みつつ、貼着剤７で外表面11を貼着して、袋状とする。この状態にして、職場，学校，遠足等に持っていく。
そして、図７に於て、外フィルム２の一方の短辺部20ａに形成された開始端部23を引っ張って、外フィルム２を、矢印９のように、長手方向Ｌに沿って、帯状に引き裂き、他方の短辺部20ａまで、一気に取り去る。
すると、図８に示すように、帯状に引き裂かれて形成された外フィルム２の帯状開口部21から、シート状食品３の一部と、内フィルム１の一対の短辺部10ａ，10ａの第１切込部31，31が、露出状になる。
そして、外フィルム２の短辺部20ａの両端部を手で摘んで、矢印13のように、幅方向Ｘに引っ張る。
【００１５】
すると、図９に示すように、内フィルム１が、一対の第１切込部31，31から、同時に、長手方向Ｌに沿って引き裂かれつつ、２つに分離した外フィルム２も、内フィルム１とともに、幅方向Ｘに引っ張られる。
このとき、内外フィルム１，２の間から、シート状食品３が抜け出て、図10に示すように、シート状食品３が、ご飯６の周囲に、巻付け状態になる。
このシート状食品３は、内外フィルム１，２を取り去るまで、密封空間５に、密封状に保持されており、ご飯６の湿気が到達することがなく、（乾燥した）パリパリ感が、保持されている。
【００１６】
以上のように、本発明に係るおにぎり包装シートは、略矩形状の内フィルム１と外フィルム２との間に、シート状食品３を挟んで、内フィルム１と外フィルム２の周端縁部10，20同士を融着して、内部密封空間５内に、シート状食品３を密封状に保持し、内フィルム１の外表面11の周端縁部12に、貼着剤７が塗布され、内フィルム１の外表面11が、貼着剤７をもって、ご飯６を包んだ袋状として、貼着されるように構成され、さらに、内フィルム１は、一対の短辺部10ａ，10ａに、各々、第１切込部31を、有し、かつ、外フィルム２は、その短辺部20ａに、外フィルム２を長手方向Ｌに沿って帯状に引き裂くための開始端部23を形成する２本の第２切込部32，32を、有し、内フィルム１の第１切込部31は、外フィルム２の２本の第２切込部32，32の間に、配設されているので、内外フィルム１，２を取り去るまでは、ご飯６の湿気がシート状食品３を湿らせてしまうことがなく、シート状食品３を、（乾燥した）パリパリ感を保ったまま、長時間保持できる。よって、食べたい時いつでも、パリパリ感のある海苔巻おにぎりを、味わうことができる。
しかも、本物品に係る包装シートのみを流通過程に乗せ、それを買った各家庭に於て、おにぎりを作るのに使用される。そして、おにぎりを作る際、包装シートでご飯を巻きつける作業は簡単で、家庭等にて、容易に、セッティングすることができる。
そして、シート状食品３及びご飯６に手を接触させることなく、包装用のフィルム１，２を、簡単に分離して取り去ることができるので、衛生面でも好ましい。しかも、取り去る作業に手間が掛からないので、出先等で、すぐに、海苔巻きおにぎりを作って、味わうことができる。
【００１７】
また、おにぎり包装シートは、略矩形状の内フィルム１と外フィルム２との間に、シート状食品３を挟んで、内フィルム１と外フィルム２の周端縁部10，20同士を融着して、内部密封空間５内に、シート状食品３を密封状に保持し、内フィルム１の外表面11の周端縁部12のうち、長手方向Ｌの半分区域12ａに、貼着剤７が塗布され、内フィルム１の外表面11が、貼着剤７をもって、ご飯６を包んだ袋状として、貼着されるように構成され、さらに、内フィルム１は、一対の短辺部10ａ，10ａに、各々、第１切込部31を、有し、かつ、外フィルム２は、その短辺部20ａに、外フィルム２を長手方向Ｌに沿って帯状に引き裂くための開始端部23を形成する２本の第２切込部32，32を、有し、内フィルム１の第１切込部31は、外フィルム２の２本の第２切込部32，32の間に、配設されているので、内外フィルム１，２を取り去るまでは、ご飯６の湿気がシート状食品３を湿らせてしまうことがなく、シート状食品３を、（乾燥した）パリパリ感を保ったまま、長時間保持できる。よって、食べたい時いつでも、パリパリ感のある海苔巻おにぎりを、味わうことができる。
しかも、本物品に係る包装シートのみを流通過程に乗せ、それを買った各家庭に於て、おにぎりを作るのに使用される。そして、おにぎりを作る際、包装シートでご飯を巻きつける作業は簡単で、家庭等にて、容易に、セッティングすることができる。
そして、シート状食品３及びご飯６に手を接触させることなく、包装用のフィルム１，２を、簡単に分離して取り去ることができるので、衛生面でも好ましい。しかも、取り去る作業に手間が掛からないので、出先等で、すぐに、海苔巻きおにぎりを作って、味わうことができる。
また、内フィルム１の外表面11の周端縁部12のうち、長手方向Ｌの半分区域12ａのみに塗布された貼着剤７でも、内フィルム１の外表面11を、ご飯６を包んだ袋状として、十分に貼着することができるので、塗布する貼着剤７の量を少なく抑えられ、貼り付けておく剥離紙も小さな面積のもので済むので、コスト削減を図り得る。
【００１８】
また、外フィルム２は、一対の短辺部20ａ，20ａに、各々、２本の第２切込部32，32を、有するので、一対の両側の短辺部20ａ，20ａのどちらからでも、外フィルム２を、帯状に引き裂くことができる。よって、外フィルム２を、迅速に帯状に引き裂くことができる。
【００１９】
また、貼着剤７に、剥離紙17を貼り合わせたので、複数の包装シートを、重ねてセットにして販売したり、保存することができる。
また、剥離紙17を取り去れば、すぐに、内フィルム１に、ご飯を包む作業を行うことができ、手間が掛からず、かつ、貼着剤７の貼着力を落とさずに保つことができる。
【図面の簡単な説明】
【００２０】
【図１】本発明に係るおにぎり包装シートの実施の一形態を示す分解斜視図である。
【図２】斜視図である。
【図３】断面図である。
【図４】断面図である。
【図５】説明用斜視図である。
【図６】説明用斜視図である。
【図７】説明用斜視図である。
【図８】説明用斜視図である。
【図９】説明用斜視図である。
【図１０】おにぎりを示す斜視図である。
【図１１】本発明に係るおにぎり包装シートの他の実施の形態を示す分解斜視図である。
【図１２】斜視図である。
【符号の説明】
【００２１】
１  内フィルム
２  外フィルム
３  シート状食品
５  密封空間
６  ご飯
７  貼着剤
10  周端縁部
10ａ  短辺部
11  外表面
12  周端縁部
12ａ  半分区域
17  剥離紙
20  周端縁部
20ａ  短辺部
23  開始端部
31  第１切込部
32  第２切込部
Ｌ  長手方向
【図１】
2006076638.tif 000003
【図２】
2006076638.tif 000004
【図３】
2006076638.tif 000005
【図４】
2006076638.tif 000006
【図５】
2006076638.tif 000007
【図６】
2006076638.tif 000008
【図７】
2006076638.tif 000009
【図８】
2006076638.tif 000010
【図９】
2006076638.tif 000011
【図１０】
2006076638.tif 000012
【図１１】
2006076638.tif 000013
【図１２】
2006076638.tif 000014